(57)【要約】【課題】ディスクケーブルのワイヤー切れの発生を防止し、そのワイヤー切れが原因による故障の発生をなくし、しかも、ランニングコストやメンテナンス費用を最小限に抑えてコスト的にも著しく有利な飼料搬送装置を提供する。【解決手段】飼料搬送手段Ａは、コーナー部のコーナー搬送ホイールと、ケーブル駆動装置１５内の駆動ホイール２５および従動ホイール３０は、各々にディスクケーブルａを巻き掛けたとき、各々のリム外周上に、各搬送ディスク１９を立てて載せる凹面部４５・５５と、搬送ディスク間のワイヤー部分２９を載せて担ぐ凸部５０・６０とを交互に設け、ディスクケーブルを、搬送ディスク間のワイヤー部分において凸部と２つの凹面部との間の３点で支持してリム外周と同心的な円弧状に巻装してなる。【選択図】          図１
2006027883.tif 000002
【特許請求の範囲】
【請求項１】
複数のコーナー部を設けてエンドレスに配管したパイプラインと、該パイプライン内に無端状に繋いで挿設し、多数の搬送ディスクをその中心にワイヤーを貫通させて等間隔に組み付けた飼料搬送用のディスクケーブルと、各コーナー部内で回転自在に軸支し、前記ディスクケーブルを巻き掛けてコーナー送りするコーナー搬送ホイールと、前記ディスクケーブルを駆動ホイールと従動ホイール間に張り渡して駆動させるケーブル駆動装置とを備え、給餌時に該ケーブル駆動装置を作動して前記ディスクケーブルを駆動し、前記パイプラインを通して回送しながら、該パイプライン内へ送り込まれる飼料を搬送する飼料搬送装置において、
前記コーナー搬送ホイールと、前記駆動ホイールおよび前記従動ホイールは、各々に前記ディスクケーブルを巻き掛けたとき、各々のリム外周上に、各搬送ディスクを立てて載せる凹面部と、搬送ディスク間のワイヤー部分を載せて担ぐ凸部とを交互に設け、前記ディスクケーブルを、前記搬送ディスク間のワイヤー部分において前記凸部と２つの前記凹面部との間の３点で支持して前記リム外周と同心的な円弧状に巻装してなることを特徴とする、飼料搬送装置。
【請求項２】
前記駆動ホイールは、前記リムと、該リムを間に挟んで同軸に配した一対のリング状弾性パッドとを、それぞれボスの外周に着脱自在に嵌め付けて備え、
前記弾性パッドは、各々の外周に断面円弧のテーパ面を設け、それらテーパ面を対向させて前記ボスに嵌め付けると、前記駆動ホイールの外周に、それに巻き掛ける前記ディスクケーブルの搬送ディスクが咬合可能な断面円形状のディスクガイド溝を形成してなり、
前記リムは、重ね合わせたときに前記凹面部と前記凸部とが形成されるように、各々の外周に凹部と凸部を交互に設けた同形状のリング状スペーサ板を複数枚備えて構成し、使用する前記ディスクケーブルの搬送ディスクの径サイズに応じて、前記ボスに嵌め付ける前記スペーサ板の枚数を増減することにより、前記搬送ディスクが咬合する前記弾性パット間の間隔を調整可能に構成してなることを特徴とする、請求項１に記載の飼料搬送装置。
【発明の詳細な説明】
【技術分野】
【０００１】
本発明は、多数の搬送ディスクをその中心にワイヤーを貫通させて等間隔に組み付けたディスクケーブルを、エンドレスの飼料搬送用パイプライン内に挿設し、給餌時にケーブル駆動装置で駆動して養鶏や養豚用などの飼料を給餌器側へ搬送する飼料搬送装置に関する。
【背景技術】
【０００２】
従来、この種の飼料搬送装置は、一般に、飼料搬送用のディスクケーブルを、給餌器の設置レイアウトに応じ幾つかのコーナー部を設けてエンドレスに配管したパイプライン内に無端状に繋いで挿設し、パイプラインの途中にディスクケーブルの駆動装置を設置している。そして図８に示すように、ディスクケーブル１を、パイプライン２のコーナー部２ａではコーナー搬送ホイール３に巻き掛けると共に、図９に示すように、ケーブル駆動装置４内で駆動ホイール５と従動ホイール６間に掛け渡して配設し、駆動時にケーブル駆動装置４を作動して駆動ホイール５を駆動回転させることにより、パイプライン２内を通して回送するようになっている。
【０００３】
従来の飼料搬送装置において、コーナー部２ａのコーナー搬送ホイール３は、図８に示すように、コーナー部２ａ内で回転自在に軸支し、リム３ａの外周面上に搬送ディスク１ａ‥を立てて係止した状態でディスクケーブル１を巻き掛け、駆動時にディスクケーブル１の回動に従って連れ回りしながら、ディスクケーブル１をコーナー送りする構造になっている。
【０００４】
ケーブル駆動装置４において、駆動ホイール５は、図９に示すようにリム外周に歯部を有したギヤホイールで、駆動モータ（図示省略）に駆動軸５ａを直結させて軸支し、搬送ディスク１ａ‥を噛み合わせた状態でディスクケーブル１を巻き掛ける一方、従動ホイール６は、回転自在に軸支し、コーナー搬送ホイール３と同様、リム６ａの外周面上に搬送ディスク１ａを立てて係止した状態でディスクケーブル１を巻き掛けている。そして、ケーブル駆動装置４では、従動ホイール６を、ガイドレール部材７でパイプライン２に沿って移動可能に保持する一方、テンション付与機構８でケーブル移動方向Ｘと逆向きにばね付勢してディスクケーブル１に常時テンションを付与している。こうしてパイプライン２内にディスクケーブル１をエンドレスに張設し、駆動時は、ディスクケーブル１をパイプライン２内で弛みなく引っ張りながら回送する構造になっている。
【発明の開示】
【発明が解決しようとする課題】
【０００５】
ところが、従来の飼料搬送装置において、ディスクケーブル１は、パイプライン２内を弛みなく強く引っ張られながら移動し、各コーナー部２ａやケーブル駆動装置４内では、図１０（Ａ）に示すように、搬送ディスク１ａ‥がコーナー搬送ホイール３や従動ホイール６のリム外周面３ａ・６ａに押し当った状態で巻き付いて回動するため、隣り合う搬送ディスク１ａ間のワイヤー部分１ｂが、その両端の根元ｐで常に折れ曲がって真っ直ぐな突っ張り状態で送られることになる。従って、このように曲げ伸ばされて送られるディスクケーブル１は、搬送ディスク１ａ間のワイヤー部分１ｂの根元ｐに、常に折り曲げ負荷が加わった状態となり、その結果、経時、ワイヤー部分１ｂの根元ｐに金属疲労が蓄積し、その根元ｐでワイヤー切れを起こしていた。
【０００６】
しかも、ディスクケーブル１は、通常、ジョイント金具で無端状に繋いでパイプライン内に挿設されるが、駆動時、たとえば図１０（Ｂ）に示すように、ジョイント金具９で繋いだ部分がコーナー搬送ホイール３や従動ホイール６に至ると、それらのリム外周面３ａ・６ａに、搬送ディスク１ａより小径なジョイント金具９が押し当った状態で巻き付いて回動するため、ジョイント金具９と搬送ディスク１ａ間のワイヤー部分１ｃが、同様に根元ｐから折れ曲がる現象に拍車がかかり、その結果、ワイヤー部分１ｃの根元Ｐに、より大きな折り曲げ負荷が加わってワイヤー切れを起こしやすいという問題があった。
【０００７】
一方、従来の飼料搬送装置において、駆動ホイール５は、図１１（Ａ）・（Ｂ）に示すように、各歯部５ｂ‥の上側にそれぞれワイヤー係合凹溝５ｃが設けられ、ディスクケーブル１を巻き掛けて駆動させるとき、歯部５ｂに搬送ディスク１ａを噛み合わせる一方、ケーブル係合凹溝５ｃには、搬送ディスク１ａ間のワイヤー部分１ｂを係合させてガイドする構成になっている。しかし、ディスクケーブル１は、駆動時に弛みなく強く引っ張られながら送られるとき、搬送ディスク１ａ間のワイヤー部１ｂが歯部５ｂのケーブル係合凹溝５ｃにのみ載って押し当った状態で駆動ホイール５に巻き付き、搬送ディスク１ａを歯底面５ｄから浮かせて回動するため、搬送ディスク１ａ間のワイヤー部分１ｂが、ケーブル係合凹溝５ｃの両端縁で根元Ｐから常に折れ曲がった状態で送られることになる。従って、駆動ホイール５周りにおいても、上記従動ホイール６の場合と同様に、そのように曲げ伸ばされて送られるディスクケーブル１は、搬送ディスク１ａ間のワイヤー部分１ｂの根元Ｐに常に折り曲げ負荷が加わる状態になり、やはり、これが原因でワイヤー切れが起きるという問題があった。
【０００８】
以上のように従来の飼料搬送装置では、ワイヤー切れが発生しやすい構造であるため、それだけディスクケーブルの寿命が短く、その分だけランニングコストが高くなり、しかも、ワイヤー切れが原因の故障が多発するために、これを未然に防止するためのメンテナンスサイクルも短くなり、それだけ作業上の労力が増大し、メンテナンス費用も高くなるという課題があった。
【０００９】
そこで、本発明の目的は、ディスクケーブルのワイヤー切れの発生を防止し、そのワイヤー切れが原因による故障の発生をなくし、しかも、ランニングコストやメンテナンス費用を最小限に抑えてコスト的にも著しく有利な飼料搬送装置を提供することにある。
【課題を解決するための手段】
【００１０】
上記した課題を解決すべく、請求項１に記載の発明は、複数のコーナー部を設けてエンドレスに配管したパイプラインと、該パイプライン内に無端状に繋いで挿設し、多数の搬送ディスクをその中心にワイヤーを貫通させて等間隔に組み付けた飼料搬送用のディスクケーブルと、各コーナー部内で回転自在に軸支し、前記ディスクケーブルを巻き掛けてコーナー送りするコーナー搬送ホイールと、前記ディスクケーブルを駆動ホイールと従動ホイール間に張り渡して駆動させるケーブル駆動装置とを備え、給餌時に該ケーブル駆動装置を作動して前記ディスクケーブルを駆動し、前記パイプラインを通して回送しながら、該パイプライン内へ送り込まれる飼料を搬送する飼料搬送装置において、前記コーナー搬送ホイールと、前記駆動ホイールおよび前記従動ホイールは、各々に前記ディスクケーブルを巻き掛けたとき、各々のリム外周上に、各搬送ディスクを立てて載せる凹面部と、搬送ディスク間のワイヤー部分を載せて担ぐ凸部とを交互に設け、前記ディスクケーブルを、前記搬送ディスク間のワイヤー部分において前記凸部と２つの前記凹面部との間の３点で支持して前記リム外周と同心的な円弧状に巻装してなることを特徴とする。
【００１１】
請求項２に記載の発明は、請求項１に記載の飼料搬送装置において、前記駆動ホイールは、前記リムと、該リムを間に挟んで同軸に配した一対のリング状弾性パッドとを、それぞれボスの外周に着脱自在に嵌め付けて備え、前記弾性パッドは、各々の外周に断面円弧のテーパ面を設け、それらテーパ面を対向させて前記ボスに嵌め付けると、前記駆動ホイールの外周に、それに巻き掛ける前記ディスクケーブルの搬送ディスクが咬合可能な断面円形状のディスクガイド溝を形成してなり、前記リムは、重ね合わせたときに前記凹面部と前記凸部とが形成されるように、各々の外周に凹部と凸部を交互に設けた同形状のリング状スペーサ板を複数枚備えて構成し、使用する前記ディスクケーブルの搬送ディスクの径サイズに応じて、前記ボスに嵌め付ける前記スペーサ板の枚数を増減することにより、前記搬送ディスクが咬合する前記弾性パット間の間隔を調整可能に構成してなることを特徴とする。
【発明の効果】
【００１２】
請求項１に記載の発明によれば、ディスクケーブルを、パイプライン内を弛みなく強く引っ張りながら回送する一方、コーナー部のコーナー搬送ホイールとケーブル駆動装置内の駆動ホイールおよび従動ホイールにおいて、各々の凹面部上に搬送ディスクを立てて載せ、搬送ディスク間のワイヤー部分は凸部上に担いだ状態で載せ、ワイヤー部分において、常に凸部と２つの凹面部の３点で支持しながら回送する構成であるため、ディスクケーブルは、各ホイールの周りで局部的に屈折することなく、リム外周と同心的な円弧を描きながら送られ、これにより、ワイヤー部分の何処にも、金属疲労の原因となる折り曲げ負荷が加わることなくスムーズに回動し、従来、問題となったワイヤー切れの発生を確実に防止することができる。その結果、ワイヤー切れが原因となる故障の発生を皆無にし、しかも、全体のランニングコストやメンテナンス費用を最小限に抑えてコスト的にも著しく有利な飼料搬送装置を提供することができる。
【００１３】
請求項２に記載の発明によれば、リムは、ディスクケーブルの搬送ディスクの径サイズに応じて、ボスに嵌め付けるスペーサ板の枚数を増減することにより、搬送ディスクを咬合させる弾性パット間の間隔を調整し、これにより、使用するディスクケーブルに対し、搬送ディスクの径サイズ毎に、別個の駆動ホイールを必要とすることなく、各種径サイズの搬送ディスクにアジャストさせて、常に共通の駆動ホイールを使用することができる。また、駆動ホイールにおいて、経時、弾性パッドのディスクガイド溝がたとえ磨耗したとしても、弾性パッドをボスから取り外し、ディスクガイド溝の磨耗の程度に応じて必要な数のスペーサ板を抜き取り、ディスクガイド溝の弾性パット間の間隔を調節することにより、ディスクガイド溝を常に搬送ディスクに対し簡単にアジャストすることができ、その結果、ディスクケーブルの駆動時、搬送ディスクが駆動ホイールのディスクガイド溝を通過するときに、スリップすることなく、常にディスクガイド溝に嵌り込んでスムーズに咬合し、正確に駆動伝達させることができる。
【００１４】
以下、図面を参照しつつ、本発明の実施の形態について説明する。
【００１５】
図２に、本発明の一例である飼料搬送装置を備えた飼料供給システムの全体構成を示す。図示飼料供給システムは、たとえば養豚用の飼料供給システムとして豚舎内に構築され、図中符号Ａで示す飼料搬送装置と、飼料搬送装置Ａで飼料を搬送して送給する複数の給餌器Ｂ‥とで構成されている。
【００１６】
図示例の飼料搬送装置Ａは、餌補給装置１０を備えると共に、餌補給装置１０と給餌器Ｂと間を、給餌器の設置レイアウトに応じて、複数のコーナーを設けて配管したパイプラインＰを介して連結している。餌補給装置１０は、大容量の、例えば粉状の飼料を収容する飼料タンク１０ａと、飼料タンク１０ａの下で連結して飼料補給量の調節機能をもった補給用ホッパ１０ｂとを備えている。各給餌器Ｂは、垂設したドロップパイプ１１を介してパイプラインＰと連通させている。
【００１７】
パイプラインＰは、複数の直管状パイプ１２と幾つかのコーナー部１３を接続してエンドレスに配管し、中空パイプ内に、後述する飼料搬送用のディスクケーブルを無端状に繋いで挿設している。そして、餌補給装置１０と隣接したライン途中には、ディスクケーブルを駆動するケーブル駆動装置１５を設置している。
【００１８】
パイプラインＰのコーナー部１３は、図３に示すように、一対の浅底な蓋状ケースを重ね合わせ、そのうちの一側ケースを取り外し可能に構成したコーナーカバー１４を備え、コーナーカバー１４内に、コーナー搬送ホイール２０を回転自在に軸支している。コーナー搬送ホイール２０には、ディスクケーブルａを巻き掛け、駆動時に、ディスクケーブルａの回動に従って連れ回りしながら、ディスクケーブルａをコーナー送りする構造になっている。
【００１９】
ディスクケーブルａは、例えばインサート樹脂成形法により、所定径サイズの多数の搬送ディスク１９‥を形成すると共に、各搬送ディスク１９の中心に鋼製ワイヤーを貫通させて等間隔に組み付けて成形し、ジョイント金具（図示省略）で結線してエンドレスに構成してなる。
【００２０】
ケーブル駆動装置１５は、駆動モータ（図示省略）を備え、駆動モータに、図１に示すように駆動軸１６を直結して駆動ホイール２５を軸支すると共に、従動ホイール３０を連れ回り自在に軸支して備え、ディスクケーブルａを、駆動ホイール２５と従動ホイール３０間に掛け渡している。更に、従動ホイール３０は、ガイドレール部材２１で案内してパイプラインＰの長さ方向（図中左右方向）に可動に保持する一方、テンション付与機構２２に備えるスプリング２３でディスクケーブルａの回送方向Ｘと逆向きにばね付勢し、ディスクケーブルａに常時テンションを付与している。こうしてパイプラインＰ内にディスクケーブルａを張設し、弛みなく引っ張りながら回送する構造になっている。
【００２１】
そこで、図示飼料供給システムでは、給餌時に飼料搬送装置Ａを稼動し、飼料タンク１０ａに収容した飼料を、補給用ホッパ１０ｂで補給量を調整しながらパイプラインＰ内へ送り込む一方、ケーブル駆動装置１５を作動して駆動ホイール２５を駆動回転し、ディスクケーブルａを緊張状態でパイプラインＰに沿って回送する。すると、飼料は、ディスクケーブルａの搬送ディスク１９‥により、パイプラインＰ内を通して回送方向Ｘに搬送される。そして、各給餌器Ｂの真上に達すると、順次ドロップパイプ１１を通して落下し、各給餌器Ｂへと供給されるようになっている。
【００２２】
さて、本発明の飼料搬送装置Ａにおいて、各コーナー部１３に備えたコーナー搬送ホイール２０は、例えばプレスで一体につくり、図３に示すように、本体円盤部２０ａ周縁に有するリム２０ｂの外周上に、ディスクケーブルａを巻き掛けたときに起立状態の搬送ディスク１９を載せる凹面部３５と、隣り合う搬送ディスク１９・１９間のワイヤー部分２９を担いで載せる凸部４０とを交互に、等間隔に配設した形状に成形してなる。凸部４０の頂面と凹面部３５は、リム２０ｂの円周形状に合わせた曲面に成形している。更に、凸部４０は、その下部側に、ディスクケーブルａを巻き掛けてコーナー送りするときに搬送ディスク１９が押し当たる肩部４０ａを、リム２０ｂの円周方向に突設して全体に凸型に成形している。そして、斯かるコーナー搬送ホイール２０は、ディスクケーブルａを巻き掛けてコーナー送りするときは、ディスクケーブルａを、図４に示すように、凹面部３５上に搬送ディスク１９を立てて載せると共に、搬送ディスク１９間のワイヤー部分２９は凸部４０上に担いだ状態で載せ、これにより、特に搬送ディスク１９間のワイヤー部分２９において、２つの凹面部３５・３５とその間の凸部４０の３点で支持し、リム２０ｂの外周と同心的な円弧状に巻装する構成になっている。
【００２３】
また、ケーブル駆動装置１５に備えた従動ホイール３０は、コーナー搬送ホイール２０と同様、例えばプレスで一体につくり、図１に示すように、本体円盤部３０ａ周縁のリム３０ｂに有する外周上に、ディスクケーブルａを巻き掛けたときに起立状態の搬送ディスク１９を載せる凹面部４５と、隣り合う搬送ディスク１９・１９間のワイヤー部分２９を担いで載せる凸部５０とを交互に、等間隔に設けた形状に成形してなる。凸部５０の頂面と凹面部４５は、リム３０ｂの円周形状に合わせた曲面に成形している。更に、凸部５０は、その下部側に、ディスクケーブルａを巻き掛けてコーナー送りするときに搬送ディスク１９が押し当たる肩部５０ａを、リム３０ｂの円周方向に突設して全体に凸型に成形している。そして、斯かる従動ホイール３０は、ディスクケーブルａを巻き掛けて送るときは、ディスクケーブルａを、凹面部４５上に搬送ディスク１９を立てて載せると共に、搬送ディスク１９間のワイヤー部分２９は凸部５０上に担いだ状態で載せ、これにより、特に搬送ディスク１９間のワイヤー部分２９において、２つの凹面部４５・４５とその間の凸部５０の３点で支持し、リム３０ｂの外周と同心的な円弧状に巻装する構成になっている。
【００２４】
一方、同じケーブル駆動装置１５に備えた駆動ホイール２５は、詳しくは図５に示すように、中心に駆動軸１６の取付貫通穴３１ａを有する一方、外周に嵌め付け突部３１ｂを有した環状のボス３１と、ボス３１の外周に嵌め付けるリム３２と、リム３２を間に挟んでボス３１の外周に嵌め付ける一対のリング状弾性パッド３３と、弾性パッド３３を間に挟んで取り付ける一対のリング状の外スペーサ板３４と、これらを挟んで外側に取り付ける一対のドーナツ板状の取付円板３６とを備える。
【００２５】
リム３２は、複数枚の等厚なリング状の金属製スペーサ板３９‥を備えてなる。各スペーサ板３９‥は、内周にボス３１の嵌め付け突部３１ｂと対応した嵌め付け凹部３９ａを設ける一方、外周に、凹部５５ａと凸部６０ａを交互に且つ等間隔に設けた同じ形状にプレス成形している。凸部６０ａには、そのリム周方向片側を円周方向に凸状の係止段部６１ａを突設している。弾性パッド３３は、それぞれ図示例ではゴム製で、内周にボス３１の嵌め付け突部３１ｂと対応した嵌め付け凹部３３ａを設ける一方、外周に、搬送ディスク１９に対応させて断面円弧のテーパ面３３ｂを成形してなる。
【００２６】
斯かる部品構成の駆動ホイール２５は、ボス３１の外周に凹凸の嵌め合いで、図示例では３枚のスペーサ板３９を嵌め付け、互いに重ね合わせることで単一の積層リム３２を形成する。それから、リム３２を間に挟んで両側から、弾性パッド３３を、互いのテーパ面３３ｂを対向させて、凹凸の嵌め合いでボス３１の外周に嵌め付け、それら弾性パッド３３を、それぞれ外スペーサ板３４を介し取付円板３３で挟んで、ボス３１にボルトとナットで着脱可能に固定し、図６（Ａ）に示すように組み立ててなる。
【００２７】
従って、組み立てた駆動ホイール２５には、積層リム３２において、その外周に、図７（Ａ）に示すように、ディスクケーブルａを巻き掛けたときに起立状態の搬送ディスク１９を載せる凹面部５５と、隣り合う搬送ディスク１９・１９間のワイヤー部分２９を担いで載せる凸部６０とが交互に且つ等間隔に形成される。また、凸部６０には、その下部側に、コーナー送りするときにディスクケーブルａの搬送ディスク１９が押し当たる係止段部６１が形成されてなる。
【００２８】
更に、組み立てた駆動ホイール２５には、弾性パッド３３において、外周面に、図６（Ａ）に示すように、向かい合う互いのテーパ面３３ｂによって、ディスクケーブルａの搬送ディスク１９が咬合可能な断面円形状のディスクガイド溝６５が形成される。そして、斯かる駆動ホイール２５には、図７（Ｂ）に示すように、個々の搬送ディスク１９を弾性パッド３３のディスクガイド溝６５に嵌め込んだ状態でディスクケーブルａが巻き掛けられるようになっている。
【００２９】
さてそこで、本発明の図示飼料搬送装置Ａでは、ディスクケーブルａを、パイプラインＰ内で弛みなく強く引っ張りながら回送するが、各コーナー部１３内では、図４に示すように、ディスクケーブルａを、コーナー搬送ホイール２０の凹面部３５上に搬送ディスク１９を立てて載せ、搬送ディスク１９間のワイヤー部分２９は凸部４０上に担いだ状態で載せ、ワイヤー部分２９において、凸部４０と２つの凹面部３５・３５の３点で支持しながらコーナー送りする。そのため、ディスクケーブルａは、コーナー搬送ホイール２０の周りで局部的に屈折することなく、リム２０ｂの外周と同心的な円弧を保持しながら送られ、その結果、ワイヤー部分２９の何処にも折り曲げ負荷を受けることなく、スムーズにコーナー送りされる。
【００３０】
一方、ケーブル駆動装置１５内において、従動ホイール３０は、同様にディスクケーブルａを、凹面部４５上に搬送ディスク１９を立てて載せ、搬送ディスク１９間のワイヤー部分２９は凸部６０上に担いだ状態で載せ、ワイヤー部分２９において、凸部５０と２つの凹面部４５・４５の３点で支持しながら回動する。そのため、ディスクケーブルａは、従動ホイール２０の周りでも、局部的に屈折することなく、即ちワイヤー部分２９の何処にも折り曲げ負荷を受けることなく、リム３０ｂの外周と同心的な円弧を描きながらスムーズに送られる。
【００３１】
他方、同じケーブル駆動装置１５内において、駆動ホイール２５は、積層リム３２の凹面部５５上に搬送ディスク１９を立てて載せ、搬送ディスク１９間のワイヤー部分２９は凸部６０上に担いだ状態で載せ、ワイヤー部分２９において、凸部６０と２つの凹面部５５・５５の３点で支持しながら回動させる。そのため、ディスクケーブルａは、駆動ホイール２５の周りでも、局部的に屈折することなく、即ちワイヤー部分２９の何処にも折り曲げ負荷を受けることなく、積層リム３２と同心的な円弧を描きながらスムーズに送られる。
【００３２】
また、ディスクケーブルａは、個々の搬送ディスク１９が弾性パッド３３のディスクガイド溝６５に嵌り込んで咬合しながら回動し、そのため、途中で引っ掛かったりスリップしたりすることなく、常にスムーズに駆動回転する。
【００３３】
ところで、図示飼料搬送装置Ａは、駆動ホイール２５において、リム３２と弾性パッド３３を、前述のようにボス３１に対し着脱自在に嵌め付ける構成にしている。従って、リム３２は、使用するディスクケーブルａの搬送ディスク１９の径サイズに応じて、ボス３１に嵌め付けるスペーサ板３９の枚数を増減することにより、搬送ディスク１９を咬合させる弾性パット３３・３３間の間隔ｄ〔図６（Ａ）参照〕を調整可能にしている。そこで、本発明では、上記図示例の如く、ディスクケーブルａの搬送ディスク１９が中型径サイズの場合は、それに合わせて、リム３２を、スペーサ板３９をボス３１に３枚だけ嵌め付けた厚さの積層構造とした。しかし、たとえば図７（Ｃ）に示すように、上記中型径サイズより一段大きい、大径サイズの搬送ディスク１９ａを有したディスクケーブルａ１を使用する場合は、大径サイズに合わせて、たとえば図６（Ｂ）に示すように、ボス３１に嵌め付けるスペーサ板３９の枚数を５枚に増やし、弾性パット３３・３３間の間隔ｄを、大径な搬送ディスク１９ａが咬合可能な幅サイズに調整し、その分間隔ｄを広くする。それとは反対に、図７（Ｃ）に示すように、上記中型径サイズより一段小さい、小径サイズの搬送ディスク１９ｂを有したディスクケーブルａ２を使用する場合は、小径サイズに合わせて、ボス３１に嵌め付けるスペーサ板３９の枚数を減らし、弾性パット３３・３３間の間隔ｄを、小径な搬送ディスク１９ｂが咬合可能な幅サイズに調整し、その分間隔ｄを狭くする。
【００３４】
他方、本発明では、図７（Ｃ）に示すように、搬送ディスク１９ｃをその中心にチェーン６６を通して等間隔に組み付けたチェーン型ディスクケーブルａ３を、上記したワイヤー型ディスクケーブルと同様に、駆動ホイール２５に巻き掛けて使用することもできる。その場合も同様に、チェーン型ディスクケーブルａ３の搬送ディスク１９ｃの径サイズに応じて、前記ボス３１に嵌め付けるスペーサ板３９の枚数を増減することにより、搬送ディスク１９ｃを咬合させる弾性パット３３・３３間の間隔ｄを調整すれば、チェーン型ディスクケーブルａ３を、そのまま同じ駆動ホイール２５に巻き掛けて使用することができる。
【００３５】
また、上述した図示飼料搬送装置Ａは、駆動ホイール２５において、経時、弾性パッド３３のディスクガイド溝６５が磨耗すると、いったん弾性パッド３３をボス３１から取り外し、ディスクガイド溝６５の磨耗の程度に応じて、必要な数のスペーサ板３９を抜き取り、ディスクガイド溝６５の弾性パット３３・３３間の間隔ｄを調節する。そして、ディスクケーブルａの駆動時、搬送ディスク１９が駆動ホイール２５のディスクガイド溝６５を通過するときに、スリップすることなく、常にディスクガイド溝６５に嵌り込んでスムーズに咬合し、正確に駆動伝達されるように調整することができるようになっている。
【図面の簡単な説明】
【００３６】
【図１】本発明の一例である飼料搬送装置に備えたケーブル駆動装置の内構造を示す正面である。
【図２】飼料搬送装置を備えた飼料供給システムの全体システム構成を示す斜視図である。
【図３】パイプラインに備えたコーナー部の内部構造を示す正面図である。
【図４】コーナー部のコーナー搬送ホイールやケーブル駆動装置内の従動ホイールによるディスクケーブルの支持状態を示す部分正面図である。
【図５】ケーブル駆動装置に備えた駆動ホイールの分解斜視図である。
【図６】（Ａ）駆動ホイールの組立状態を示す縦断面図、（Ｂ）は大径な搬送ディスクに合わせて間隔調整して組み立てた駆動ホイールを示す縦断面図である。
【図７】（Ａ）駆動ホイールによるディスクケーブルの支持状態を示す部分正面図、（Ｂ）駆動ホイールをディスクケーブルの巻き掛け状態において示す斜視図、（Ｃ）小径サイズと大径サイズの搬送ディスクを有したワイヤー型ディスクケーブルと、チェーン型ディスクケーブルをそれぞれ示す部分斜視図である。
【図８】従来の飼料搬送装置に備えたパイプラインコーナー部の内部構造を示す正面図である。
【図９】従来のケーブル駆動装置の内部構造を示す正面図である。
【図１０】（Ａ）従来のコーナー搬送ホイールによるディスクケーブル支持状態を示す部分正面図、（Ｂ）同じくディスクケーブルのジョイント部における支持状態を示す部分正面図である。
【図１１】従来の駆動ホイールによるディスクケーブル支持状態を示す部分正面図、（Ｂ）同じディスクケーブルの支持状態を示す縦断面図である。
【符号の説明】
【００３７】
Ａ                飼料搬送装置
Ｂ                給餌器
Ｐ                パイプライン
ａ                ディスクケーブル
ｄ                弾性パッド間の間隔
１３              コーナー部
１５              ケーブル駆動装置
２０              コーナー搬送ホイール
２５              駆動ホイール
２９              ディスクケーブルのワイヤー部分
３０              従動ホイール
３１              駆動ホイールのボス
３２              リム
３３              弾性パッド
３３ｂ            弾性パッドのテーパ面
３５・４５・５５  リムの凹面部
３９              リムのスペーサ板
４０・５０・６０  リムの凸部
５５ａ            スペーサ板の凹部
６０ａ            スペーサ板の凸部
６５              弾性パッドのディスクガイド溝
【図１】
2006027883.tif 000003
【図２】
2006027883.tif 000004
【図３】
2006027883.tif 000005
【図４】
2006027883.tif 000006
【図５】
2006027883.tif 000007
【図６】
2006027883.tif 000008
【図７】
2006027883.tif 000009
【図８】
2006027883.tif 000010
【図９】
2006027883.tif 000011
【図１０】
2006027883.tif 000012
【図１１】
2006027883.tif 000013